(57)【要約】      （修正有）【課題】自転車を利用して買い物に行く場合であっても、簡易に安定して自転車で運搬することができる自転車に搭載可能な買い物用キャリアを提供する。【解決手段】自転車に搭載可能な買い物用キャリアは、本体部１１とグリップ兼ハンドル嵌め込み部１２とスキャナー兼フレーム嵌め込み部１３とフック部１４を有し、買い物をするときに買い物袋Ｋをフック部１４に掛けてグリップ兼ハンドル嵌め込み部１２を手で持ち、スキャナー兼フレーム嵌め込み部１３を車輪とすることで、買い物袋を運搬することができ、また、買い物袋が、フック部１４から取り外された状態で、グリップ兼ハンドル嵌め込み部１２を、自転車ＪのハンドルＨに嵌め込み、且つ、スキャナー兼フレーム嵌め込み部１３を自転車のフレームＦに嵌め込むことで自転車に搭載することができる。【選択図】図１
0003221804.tif 000002
【実用新案登録請求の範囲】
【請求項１】
買い物をするときに買い物袋を支持するように形成されており、前記買い物袋を取り外した状態で自転車に搭載するように形成されている自転車に搭載可能な買い物用キャリアであって、
本体部と、グリップ兼ハンドル嵌め込み部と、スキャナー兼フレーム嵌め込み部と、フック部と、を有し、
前記本体部は、棒状に形成されおり、第１の端部と第２の端部を有し、
前記グリップ兼ハンドル嵌め込み部は、前記本体部の前記第１の端部に設けられた鉤状のグリップであり、前記鉤状のグリップが、グリップとしての機能と、前記自転車のハンドルに嵌め込まれる機能と、を有し、
前記スキャナー兼フレーム嵌め込み部は、前記本体部の前記第２の端部に設けられた一対のスキャナーであり、前記一対のスキャナーが、車輪としての機能と、前記自転車のフレームに嵌め込まれる機能と、を有し、
前記フック部は、前記本体部の前記第１の端部と前記第２の端部の間に設けられた前記買い袋を支持する１または複数のフックであることを特徴とする自転車に搭載可能な買い物用キャリア。
【請求項２】
前記本体部または前記グリップ兼ハンドル嵌め込み部は、前記自転車に固定させるための固定機能を有することを特徴とする請求項１に記載の自転車に搭載可能な買い物用キャリア。
【請求項３】
前記固定機能は面ファスナであり、前記面ファスナを用いて前記本体部または前記グリップ兼ハンドル嵌め込み部を、前記自転車に固定させることを特徴とする請求項２に記載の自転車に搭載可能な買い物用キャリア。
【請求項４】
前記買い物をするときに、前記買い物袋を前記フック部に掛けて、前記グリップ兼ハンドル嵌め込み部を持ち、前記スキャナー兼フレーム嵌め込み部を、スキャナーとすることで、前記買い物袋を運搬し、
前記買い物袋が、前記フック部から取り外された状態で、前記グリップ兼ハンドル嵌め込み部を、前記自転車のハンドルに嵌め込み、且つ、前記スキャナー兼フレーム嵌め込み部を、前記自転車のフレームに嵌め込むことで、前記自転車に搭載することを特徴とする請求項１から請求項３のいずれかに記載の自転車に搭載可能な買い物用キャリア。
【請求項５】
前記本体部は、伸縮自在となるように形成されていることを特徴とする請求項１から請求項４のいずれかに記載の自転車に搭載可能な買い物用キャリア。
【考案の詳細な説明】
【技術分野】
【０００１】
本考案は、自転車に搭載可能な買い物用キャリアに関する。
【背景技術】
【０００２】
キャリアは一般的に物を運搬する器具であり、このような荷物運搬用キャリアのなかで買い物袋などの手荷物の運搬をする買い物用キャリアが普及している。
【先行技術文献】
【特許文献】
【０００３】
【特許文献１】特開２０１０−４６２４０号公報
【考案の概要】
【考案が解決しようとする課題】
【０００４】
従来の買い物用キャリアは、キャリーバッグを小型にしたもの、複数のキャスターが付いたものなどであり、大きさ、重さなどにおいて問題があり、また持ち運びが困難、かさばるなどの問題もあり、改善が求められていた。また、自転車を利用して買い物に行くことも一般的になっており、従来の買い物用キャリアを自転車で運ぶことは困難であった。
【０００５】
本考案は、こうした点に鑑みてなされたものであり、自転車を利用して買い物に行く場合であっても、買い物用キャリアを簡易に安定して自転車で運搬することができるように形成された自転車に搭載可能な買い物用キャリアを提供することである。
【課題を解決するための手段】
【０００６】
上記課題を解決するために、本考案に係る自転車に搭載可能な買い物用キャリアは、買い物をするときに買い物袋を支持するように形成されており、前記買い物袋を取り外した状態で自転車に搭載するように形成されている自転車に搭載可能な買い物用キャリアであって、本体部と、グリップ兼ハンドル嵌め込み部と、スキャナー兼フレーム嵌め込み部と、フック部と、を有し、前記本体部は、棒状に形成されおり、第１の端部と第２の端部を有し、前記グリップ兼ハンドル嵌め込み部は、前記本体部の前記第１の端部に設けられた鉤状のグリップであり、前記鉤状のグリップが、グリップとしての機能と、前記自転車のハンドルに嵌め込まれる機能と、を有し、前記スキャナー兼フレーム嵌め込み部は、前記本体部の前記第２の端部に設けられた一対のスキャナーであり、前記一対のスキャナーが、車輪としての機能と、前記自転車のフレームに嵌め込まれる機能と、を有し、前記フック部は、前記本体部の前記第１の端部と前記第２の端部の間に設けられた前記買い袋を支持する１または複数のフックであることを特徴とする。
【０００７】
本考案に係る自転車に搭載可能な買い物用キャリアの態様について、前記本体部または前記グリップ兼ハンドル嵌め込み部は、前記自転車に固定させるための固定機能を有することを特徴とし、また、前記固定機能は面ファスナであり、前記面ファスナを用いて前記本体部または前記グリップ兼ハンドル嵌め込み部を、前記自転車に固定させることを特徴とする。
【０００８】
本考案に係る自転車に搭載可能な買い物用キャリアの態様について、前記買い物をするときに、前記買い物袋を前記フック部に掛けて、前記グリップ兼ハンドル嵌め込み部を持ち、前記スキャナー兼フレーム嵌め込み部を、スキャナーとすることで、前記買い物袋を運搬し、前記買い物袋が、前記フック部から取り外された状態で、前記グリップ兼ハンドル嵌め込み部を、前記自転車のハンドルに嵌め込み、且つ、前記スキャナー兼フレーム嵌め込み部を、前記自転車のフレームに嵌め込むことで、前記自転車に搭載することを特徴とする。また、前記本体部は、伸縮自在となるように形成されていることが好ましい。
【考案の効果】
【０００９】
本考案によれば、自転車を利用して買い物に行く場合であっても、買い物用キャリアを簡易に安定して自転車で運搬することができるように形成された自転車に搭載可能な買い物用キャリアを提供することができる。
【図面の簡単な説明】
【００１０】
【図１】実施形態の自転車に搭載可能な買い物用キャリアの一例を示す参考図である。
【考案を実施するための形態】
【００１１】
以下、本考案の自転車に搭載可能な買い物用キャリアの実施形態を、図１を用いて説明する。図１（ａ）は、実施形態の自転車に搭載可能な買い物用キャリア１０の一例を示す参考図である。図１（ｂ）は、実施形態の自転車に搭載可能な買い物用キャリア１０において、買い物袋Ｋがフック部１４に掛けられ、グリップ兼ハンドル嵌め込み部１２を持ち、スキャナー兼フレーム嵌め込み部１３をスキャナーとして用い、買い物袋Ｋを運搬している参考図である。また、図１（ｃ）は、実施形態の自転車に搭載可能な買い物用キャリア１０において、買い物袋Ｋがフック部１４から取り外された状態で、グリップ兼ハンドル嵌め込み部１２を自転車ＪのハンドルＨに嵌め込み、且つ、スキャナー兼フレーム嵌め込み部１３を自転車ＪのフレームＦに嵌め込むことで、自転車Ｊに搭載されている参考図である。なお、本参考図は、実施形態の自転車に搭載可能な買い物用キャリア１０の一例を説明するものであり、これに限定されるものではなく、本考案の技術的範囲において適宜最適な構成にすることができる。
【００１２】
実施形態の自転車に搭載可能な買い物用キャリア１０は、買い物をするときに買い物袋Ｋを支持し、簡易に運ぶことができるものであり、また、買い物袋Ｋを取り外した状態で自転車Jに搭載することができるものである
【００１３】
自転車に搭載可能な買い物用キャリア１０は、本体部１１と、グリップ兼ハンドル嵌め込み部１２と、スキャナー兼フレーム嵌め込み部１３と、フック部１４と、を有している。
【００１４】
本体部１１は、棒状に形成されおり、第１の端部１１ａと第２の端部１１ｂを有している。また、グリップ兼ハンドル嵌め込み部１２は、本体部１１の第１の端部１１ａに設けられた鉤状のグリップであり、この鉤状のグリップが、グリップとしての機能及び自転車ＪのハンドルＨに嵌め込まれる機能を有している。なお、本体部１１は、２段式、３段式などの伸縮自在な構成であってもよい。
【００１５】
スキャナー兼フレーム嵌め込み部１３は、本体部１１の第２の端部１１ｂに設けられた一対のスキャナーである。この一対のスキャナーが、スキャナー、つまり車輪としての機能及び自転車ＪのフレームＦに嵌め込まれる機能を有している。また、フック部１４は、本体部１１の第１の端部１１ａと第２の端部１１ｂの間に設けられており、買い物袋Ｋを支持する、つまり買い物袋Ｋを引っ掛けるように形成されている１または複数のフックである。
【００１６】
本体部１１またはグリップ兼ハンドル嵌め込み部１２は、自転車Ｊに固定させるための固定機能、この例においては面ファスナを用いて本体部１１またはグリップ兼ハンドル嵌め込み部１２を、自転車Ｊに固定させるようにしてもよい。なお、上記の面ファスナは一例であり適宜最適な固定機能を有するものを用いればよく、また、この固定機能は、本体部１１とグリップ兼ハンドル嵌め込み部１２の両方を固定される構成であってもよい。
【００１７】
上記の構成を有する自転車に搭載可能な買い物用キャリア１０は、買い物をするときに、買い物袋Ｋをフック部１４に掛けて、グリップ兼ハンドル嵌め込み部１２を手で持ち、スキャナー兼フレーム嵌め込み部１３を、車輪とすることで、買い物袋Ｋを運ぶことができる。
【００１８】
また、自転車に搭載可能な買い物用キャリア１０は、買い物袋Ｋが、フック部１４から取り外された状態で、グリップ兼ハンドル嵌め込み部１２を、自転車ＪのハンドルＨに嵌め込み、且つ、スキャナー兼フレーム嵌め込み部１３を、自転車ＪのフレームＦに嵌め込むことで、自転車Ｊに搭載することができる。
【００１９】
上記の構成を有する自転車に搭載可能な買い物用キャリア１０は、スマートでコンパクトであり徒歩や車ではもちろんのこと、自転車Ｊでも簡単に持ち運びが可能な優れたものである。現在自動車人口が減少し自転車人口が変わらないこの世の中において求められているものであり、特に高齢者においても簡易に使用することが可能であり、また、スーパーマーケットのカートから荷物を下ろしてから車まで運ぶ場合、マンションの駐車場から家まで運ぶ場合などに有効であり、特に小さな子共連れの女性が駐輪場から家まで子供を抱っこしながらでも、本考案の自転車に搭載可能な買い物用キャリア１０を、引きながら転がし持ち運ぶことができる優れたものである。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案の自転車に搭載可能な買い物用キャリアは、大きさや形状、素材の種類、厚さ、重さなどについては多様な実施形態が可能であり、それらについて本実施形態と異なる形態による実施は、本考案の技術的範囲に含まれる。
【符号の説明】
【００２２】
１０    自転車に搭載可能な買い物用キャリア
１１    本体部
１１ａ  第１の端部
１１ｂ  第２の端部
１２    グリップ兼ハンドル嵌め込み部
１３    スキャナー兼フレーム嵌め込み部
１４    フック部
Ｋ      買い物袋
Ｊ      自転車
Ｈ      ハンドル
Ｆ      フレーム
【図１】
0003221804.tif 000003